(57)【要約】　　　（修正有）【課題】従来公知のマッサージ機では、機械的機構によるものと圧気式のものとは別製品であった為、それぞれが持つ特性以上の按ま乃至マッサージ効果を得ることができなかった。圧気並びに機械的動作を組み合わせた複合マッサージ機を提供する。【解決手段】椅子型基体１の背板中央を上下に移動可能な摺擦体２を配設し、坐台の前面に気嚢５ａを対設した揉捏機構５を取り付け、該気嚢が圧気の給排によって同時に、又は各別に膨縮するようにすることで、機械的機構と圧気式マッサージ機の特性を複合した作用効果が発揮可能となる。【選択図】　　　　図１
2004065946.tif 000002
【特許請求の範囲】
【請求項１】
椅子型基体の背板中央を上下に移動可能な摺擦体を配設し、坐台の前面に気嚢を対設した揉捏機構を取り付け、該気嚢が圧気の給排によって同時に、又は各別に膨縮するようにしたことを特徴とする複合マッサージ機。
【請求項２】
摺擦体が、一定量突出可能である請求項１記載の複合マッサージ機。
【請求項３】
摺擦体が、転動自在なロールを設けた請求項１又は２記載の複合マッサージ機。
【請求項４】
摺擦体が、往復動させるようにした請求項１乃至３の何れかに記載の複合マッサージ機。
【請求項５】
不使用時の背板面に摺擦体の突出が防止できる請求項１乃至４の何れかに記載の複合マッサージ機。
【請求項６】
摺擦体および気嚢が、表生地により被覆、隠蔽されるものにした請求項１乃至５の何れかに記載の複合マッサージ機。
【請求項７】
摺擦体および気嚢が、リモコン操作により始動、停止、或いは強弱または作動部位の選択が可能である請求項１乃至５の何れかに記載の複合マッサージ機。
【発明の詳細な説明】
【０００１】
【発明の属する技術分野】
この発明は、主として坐位における人体の背筋・脊髄まわりのマッサージ、按ま、指圧等の効果を複合的に得る目的で、圧気並びに機械的動作を組み合わせたことを特徴とする複合マッサージ機に関するものである。
【０００２】
【従来の技術】
従来から、坐位における人体の背部のマッサージ乃至は按ま効果を得る目的のマッサージ機又は按ま機と呼ばれる椅子型の機器は、市場に広く出回っている。そしてその機構は、椅子型基体の背板に設けられたロールが上下に往復動し、又は打桿が作動して、肩や背中を機械的に叩打乃至は揉捏するものや、その背板および／または坐台に複数の気嚢を水平方向に段設し、該気嚢に順次圧気を給排することで揉捏乃至は按捏効果を得るようにしたものであった。
【０００３】
【発明が解決しようとする課題】
而して、前者、即ち機械的動作によるものは、その圧迫に硬直感が強く、婦女子や高齢者には使用上の抵抗が多く、又、圧気式のものは、その収縮性と適度な面刺激によって、利用者に柔和感が得られるものの、摺擦効果の面で劣るという課題があった。
【０００４】
【発明が解決しようとする手段】
叙上の実状に鑑み、本発明者は、上記機械的機構の持つ特質と、圧気式の優越性を合成して一台のマッサージ機を構成したことにより、それぞれの特性が複合された按ま乃至マッサージ効果を高めることに成功したものである。
【０００５】
即ち、椅子型基体の背板中央を上下に移動可能な摺擦体を配設し、坐台の前面に気嚢を対設した揉捏機構を取り付け、該気嚢が圧気の給排によって同時に、又は各別に膨縮するようにしたものにしている。
【０００６】
そして、摺擦体は、一定量突出可能にしたり、転動自在なロールを設けたり、往復動させるようにすることができる。更に、不使用時の背板面に摺擦体の突出が防止できるものにすることができる。又、摺擦体および気嚢は、表生地により被覆、隠蔽されるものにしたり、リモコン操作により始動、停止、或いは強弱または作動部位の選択が可能にすることができる。
【０００７】
【発明の実施の形態】
以下、本発明に係る複合マッサージ機を、図面に示す一つの実施の形態に従って更に詳述する。
【０００８】
図１において、１は坐台１ａ及び背板１ｂを備えた椅子型基体、２は背板１ｂの中央部を後述するような摺擦機構によって上下に移動可能なロール等からなる摺擦体、また３は、上記背板１ｂの上記摺擦機構の左右に対設された複数の気嚢である。
【０００９】
上記背板１ｂの気嚢３は、摺擦体２の軌道を挟んで左右の列に分設されるものであるが、最上段に配設された左右の気嚢３ａ・３ａは、首筋を挟圧する位置に設けられる他、最上段のものを含めて左右各列は、上下複数個の独立した気嚢３ａ・３ｂ・３ｃ・・・・から構成されていて、それぞれにコンプレッサー（図示せず）に通ずる圧気ホース４を備え、コンプレッサーから分配器等を介して各気嚢に通じ、各列に圧気の給排を可能としたものである。
【００１０】
即ち各列の気嚢は、例えば最上段の左右の気嚢３ａ、３ａに同時に給気して膨張させた後、内部圧気を排出して収縮可能とし、次いで、次段の気嚢３ｂ、３ｂに圧気を給排して、この段の気嚢を同時に膨縮させるというように順次下段の気嚢へと移行させるものである。
【００１１】
上記摺擦体を挟んで左右に気嚢を縦設したことにより、上下に独立して配設された各気嚢が、同列同時に行われる圧気の給排を受けて順次膨張・収縮を繰り返す間にその広い面による按捏効果を発揮し、快適に背筋を揉みほぐして、上述した摺擦体による軽擦又は按捏機能と相俟って、背中全面の筋肉疲労を回復させる上で格別の効果を奏するのである。
【００１２】
尚、この場合、気嚢の膨縮動作を摺擦体の走行速度（位置）と同期させることにより、摺擦体の肌への当接力を強弱任意に調整する機能が得られるのである。
【００１３】
本発明における上記気嚢３は、上述した基体１の背板１ｂ面に埋設されることに止まらず、その坐台１ａ面に複数の気嚢３’を横（水平）方向に設けることによって、同時に臀部と上肢（太もも）に揉捏などの効果を付与することもできるし、更に坐台１ａの前面１ｃに気嚢５ａを対設した揉捏機構５を二基取り付け、これらをホース４を介して前記のコンプレッサーに接続して下肢背側（ふくらはぎ）の揉みほぐしを行うことも自由である。
【００１４】
従って、坐台または／および坐台前面に気嚢を対設してなる揉捏機構を併用したものは、臀部や上・下肢背側を同時に揉みほぐす全身マッサージ乃至は全身按ま効果が得られるのである。
【００１５】
この他、上記各気嚢に対する圧気の配分方法は、上述した実施形態のものに限らず、配気順序は種々な組み合わせが可能であり、使用者はリモコン操作によってそれを任意に選択できるようにしたものである。
【００１６】
次に、上記摺擦体２の作動機構について述べると、図２はロール式の摺擦体２を使用した一例を示し、同図において６は両側に内折縁６ａを備えた機筐、７は機筐６の長手方向の両端部に近い側板６ｂに軸支されたスプロケット軸で、各軸上に同一間隔を保ってそれぞれ２個のスプロケット７ａを回転自在に対設してなり、その一方の軸７を駆動軸としてベルト又はチェーン（Ｃ）等、適宜な動力伝達手段を用いてモーター（Ｍ）に接続したものである。
【００１７】
又、機筐６の内部は上記前後のスプロケット７ａ間に無端チェーン７ｂを環着し、その長径上にロール軸２ａを支持する支軸ブロック２ｂと軸端ローラー２ｃを取り付けたものである。この場合、チェーン７ｂ上に固定される上記二つのロール軸２ａの取付け位置を少しくずらして不等距離にすることにより、摺擦体２を停止した際に２個の摺擦体２が共にチェーンの奥側にあるようにすれば、不使用時の背板面に摺擦体２の突出が防止できて気嚢による揉捏乃至は按捏効果を得るのに好都合である。
【００１８】
本発明で、上下に移動可能な摺擦体２とは、上例のように無端チェーン７ｂにロール軸２ａを固着し、該ロール軸に転動自在なロールを設ける構造の他、非回転の摺擦体２としたもの、および上記前後のスプロケット７ａに代えてチェーン又はロープ等を巻き付け可能としたドラムを配設し、この間に固定された摺擦体を、リミットスイッチ等によってドラムを正逆に回転させることで摺擦体を往復動させるようにしたものも包含されるものである。
【００１９】
一方、機筺６の両側内折縁６ａの下方には、上記軸端ローラー２ｃを転動自在に案内するレール板６ｃが設けられており、該レール板６ｃの適宜な箇所に山形部６ｄを隆成し、レール板６ｃ上を転動する軸端ローラー２ｃを介して軸２ａ及び摺擦体２を一定高さ突入可能としたものである。但し、この場合、上記山形部６ｄの直上に位置する内折縁６ａには、軸端ローラー２ｃの突出口６ｅを形成しておく必要がある。
【００２０】
尚、上記各部の気嚢や摺擦機構は原則として、基体１の表生地（図示せず）によって被覆・隠蔽されるものにし、又、上記摺擦体２並びに各部の気嚢３・３’等の始動、停止、或いは強弱または作動部位等の選択は、上述したようにリモコン操作により使用者が坐位のままで簡単に行えるものである。
【００２１】
【発明の効果】
本発明は、このような構成を採用することにより、坐位における利用者の脊髄を挟んで、上下に転動する摺擦体によってマッサージ効果を与え、背骨まわりの血行を促進させる機能を発揮するだけでなく、該摺擦体が一定量突出可能としたことで上記機能に加えて按捏効果、すなわち指圧の心地よさを齎らし得るものである。更に、坐台前面に気嚢を対設してなる揉捏機構を併用することにより、臀部や下肢背側を同時に揉みほぐす全身マッサージ乃至は全身按ま効果が得られるのである。
【図面の簡単な説明】
【図１】基体の表生地を除去した本発明の複合マッサージ機の斜視図
【図２】摺擦機構部の一例を示す平面図
【図３】図２のＸ−Ｘ線断面図
【符号の説明】
１　　椅子型基体
１ａ　　坐台
１ｂ　　背板
２　　摺擦体
５　　揉捏機構
５ａ　　気嚢
【図１】
2004065946.tif 000003
【図２】
2004065946.tif 000004
【図３】
2004065946.tif 000005